(57)【要約】      （修正有）【課題】端末に関する逆方向リンク（ＲＬ）交信基地局を選択する。【解決手段】端末は、無線通信システムにおいて逆方向リンクで複数の基地局に送信を送る。前記送信は、制御チャネルで送られるシグナリングに関するものであることができる。前記端末は、フィードバック（例えば、電力制御（ＰＣ）コマンド及び／又は消去指示）を前記複数の基地局から受信する。各基地局は、前記制御チャネル及び／又は前記端末から受信されたその他の何らかの送信に基づいてフィードバックを生成することができる。前記端末は、逆方向リンク電力制御を行い、前記受信されたフィードバックに基づいてＲＬ交信基地局をさらに選択する。例えば、前記端末は、最低の送信電力レベル、最大のパワーダウンコマンド割合、又は最低消去率を有する前記基地局を前記ＲＬ交信基地局として選択することができる。【選択図】図３
2011239423.tif 000002
【特許請求の範囲】
【請求項１】
無線通信システムにおいて逆方向リンクで複数の基地局に送信を送り、
前記複数の基地局からフィードバックを受信し、
前記逆方向リンクに関する端末に関する送信基地局を前記受信されたフィードバックに基づいて選択する、ように構成された少なくとも１つのプロセッサと、
前記少なくとも１つのプロセッサに結合されたメモリと、を具備する装置。
【請求項２】
前記フィードバックは、電力制御（ＰＣ）コマンドを具備する請求項１に記載の装置。
【請求項３】
前記フィードバックは、消去指示を具備する請求項１に記載の装置。
【請求項４】
前記フィードバックは、信号品質測定又は受信信号電力測定を具備する請求項１に記載の装置。
【請求項５】
前記少なくとも１つのプロセッサは、前記複数の基地局の各々に関する送信電力レベルを前記基地局から受信されたＰＣコマンドに基づいて決定し、
前記交信基地局を前記複数の基地局に関する送信電力レベルに基づいて選択する、ように構成される請求項２に記載の装置。
【請求項６】
前記少なくとも１つのプロセッサは、最低の送信電力レベルを有する基地局を前記交信基地局として選択するように構成される請求項５に記載の装置。
【請求項７】
前記少なくとも１つのプロセッサは、前記複数の基地局の各々に関するパワーダウンコマンドの割合を決定し、
前記複数の基地局に関するパワーダウンコマンドの割合に基づいて前記交信基地局を選択する、ように構成される請求項２に記載の装置。
【請求項８】
前記少なくとも１つのプロセッサは、最大のパワーダウンコマンド割合を有する基地局を前記交信基地局として選択するように構成される請求項７に記載の装置。
【請求項９】
前記少なくとも１つのプロセッサは、前記複数の基地局の各々に関する送信電力レベルを前記基地局から受信されたＰＣコマンドに基づいて決定し、
前記複数の基地局の各々に関するパワーダウンコマンドの割合を決定し、
前記複数の基地局に関する送信電力レベル及びパワーダウンコマンドの割合に基づいて前記交信基地局を選択する、ように構成される請求項２に記載の装置。
【請求項１０】
前記少なくとも１つのプロセッサは、最低の送信電力レベルを有する基地局を前記交信基地局として選択し、
２つ以上の基地局が前記最低の送信電力レベルを有する場合は、前記２つ以上の基地局の中で最大のパワーダウンコマンド割合を有する基地局を前記交信基地局として選択するように構成される請求項９に記載の装置。
【請求項１１】
前記少なくとも１つのプロセッサは、前記複数の基地局の各々に関する送信電力レベルを前記基地局から受信されたＰＣコマンドに基づいて独立して調整するように構成される請求項２に記載の装置。
【請求項１２】
前記少なくとも１つのプロセッサは、各非交信基地局に関する送信電力レベルを前記交信基地局に関する送信電力レベルに基づいて制限するように構成される請求項１１に記載の装置。
【請求項１３】
前記少なくとも１つのプロセッサは、前記複数の基地局に関する送信電力レベルを前記複数の基地局から受信された前記ＰＣコマンドに基づいてまとめて調整するように構成される請求項２に記載の装置。
【請求項１４】
前記少なくとも１つのプロセッサは、前記交信基地局に関する送信電力レベルを前記交信基地局から受信されたＰＣコマンドに基づいて独立して調整し、
前記非交信基地局に関する送信電力レベルを前記非交信基地局から受信されたＰＣコマンドに基づいてまとめて調整する、ように構成される請求項２に記載の装置。
【請求項１５】
前記少なくとも１つのプロセッサは、前記非交信基地局に関する前記送信電力レベルを前記交信基地局に関する前記送信電力レベルに基づいて制限するように構成される請求項１４に記載の装置。
【請求項１６】
前記少なくとも１つのプロセッサは、前記複数の基地局の各々に関する消去率を前記基地局から受信された消去指示に基づいて決定し、
前記交信基地局を前記複数の基地局に関する消去率に基づいて選択する、ように構成される請求項３に記載の装置。
【請求項１７】
前記少なくとも１つのプロセッサは、最低の消去率を有する基地局を前記交信基地局として選択するように構成される請求項１６に記載の装置。
【請求項１８】
前記少なくとも１つのプロセッサは、前記複数の基地局に制御チャネルを送信するように構成され、各基地局からのフィードバックは、前記制御チャネルに基づいて生成される請求項１に記載の装置。
【請求項１９】
前記少なくとも１つのプロセッサは、前記交信基地局に第１の制御チャネルを送信し、
前記複数の基地局のうちの残りの基地局に第２の制御チャネルを送信する、ように構成され、
各基地局からのフィードバックは、前記基地局に送信された前記第１又は第２の制御チャネルに基づいて生成される請求項１に記載の装置。
【請求項２０】
前記交信基地局は、逆方向リンクにおいて前記端末と交信するように指定される請求項１に記載の装置。
【請求項２１】
前記少なくとも１つのプロセッサは、前記逆方向リンクに関する前記端末に関する前記交信基地局を順方向リンクに関する前記端末に関する交信基地局に関する情報にさらに基づいて選択するように構成される請求項２０に記載の装置。
【請求項２２】
前記少なくとも１つのプロセッサは、前記端末に関する前記交信基地局を順方向リンクに関する候補基地局に関するチャネル品質にさらに基づいて選択するように構成される請求項２０に記載の装置。
【請求項２３】
前記少なくとも１つのプロセッサは、逆方向リンクにおいて前記端末と交信するために選択可能な前記複数の基地局を有する第１の候補組を維持し、
順方向リンクにおいて前記端末と交信するために選択可能な少なくとも１つの基地局を有する第２の候補組を維持する、ように構成される請求項１に記載の装置。
【請求項２４】
基地局が前記第２の候補組から独立して前記第１の候補組に加えられ、前記第１の候補組から削除される請求項２３に記載の装置。
【請求項２５】
前記無線通信システムは、直交周波数分割多重接続（ＯＦＤＭＡ）システムである請求項１に記載の装置。
【請求項２６】
無線通信システムにおいて逆方向リンクで複数の基地局に送信を送ることと、
前記複数の基地局からフィードバックを受信することと、
前記逆方向リンクに関する端末に関する交信基地局を前記受信されたフィードバックに基づいて選択すること、とを具備する方法。
【請求項２７】
前記逆方向リンクにおいて前記送信を前記送ることは、
前記送信を制御チャネルにおいて前記複数の基地局に送ることを具備し、各基地局からのフィードバックは、前記基地局によって受信された前記制御チャネルに基づいて生成される請求項２６に記載の方法。
【請求項２８】
前記フィードバックは、電力制御（ＰＣ）コマンドを具備し、前記交信基地局を前記選択することは、前記複数の基地局の各々に関する送信電力レベルを前記基地局から受信されたＰＣコマンドに基づいて決定することと、
最低の送信電力レベルを有する基地局を前記交信基地局として選択すること、とを具備する請求項２６に記載の方法。
【請求項２９】
前記フィードバックは、電力制御（ＰＣ）コマンドを具備し、前記交信基地局を前記選択することは、前記複数の基地局の各々に関するパワーダウンコマンドの割合を決定することと、最大のパワーダウンコマンド割合を有する基地局を前記交信基地局として選択すること、とを具備する請求項２６に記載の方法。
【請求項３０】
前記フィードバックは、電力制御（ＰＣ）コマンドを具備し、前記交信基地局を前記選択することは、前記複数の基地局の各々に関する送信電力レベルを前記基地局から受信されたＰＣコマンドに基づいて決定することと、
前記複数の基地局の各々に関するパワーダウンコマンドの割合を決定することと、
前記複数の基地局に関する送信電力レベル及びパワーダウンコマンドの割合に基づいて前記交信基地局を選択すること、とを具備する請求項２６に記載の方法。
【請求項３１】
前記フィードバックは、消去指示を具備し、前記交信基地局を前記選択することは、前記複数の基地局の各々に関する消去率を前記基地局から受信された消去指示に基づいて決定することと、
最低の消去率を有する基地局を前記交信基地局として選択すること、とを具備する請求項２６に記載の方法。
【請求項３２】
無線通信システムにおいて逆方向リンクで複数の基地局に送信を送るための手段と、
前記複数の基地局からフィードバックを受信するための手段と、
前記逆方向リンクに関する端末に関する交信基地局を前記受信されたフィードバックに基づいて選択するための手段と、を具備する装置。
【請求項３３】
前記逆方向リンクにおいて前記送信を送るための前記手段は、
前記送信を制御チャネルにおいて前記複数の基地局に送るための手段を具備し、各基地局からのフィードバックは、前記基地局によって受信された前記制御チャネルに基づいて生成される請求項３２に記載の装置。
【請求項３４】
前記フィードバックは、電力制御（ＰＣ）コマンドを具備し、前記交信基地局を選択するための前記手段は、前記複数の基地局の各々に関する送信電力レベルを前記基地局から受信されたＰＣコマンドに基づいて決定するための手段と、
最低の送信電力レベルを有する基地局を前記交信基地局として選択するための手段と、を具備する請求項３２に記載の装置。
【請求項３５】
前記フィードバックは、電力制御（ＰＣ）コマンドを具備し、前記交信基地局を選択ための前記手段は、前記複数の基地局の各々に関するパワーダウンコマンドの割合を決定するための手段と、
最大のパワーダウンコマンド割合を有する基地局を前記交信基地局として選択するための手段と、を具備する請求項３２に記載の装置。
【請求項３６】
前記フィードバックは、電力制御（ＰＣ）コマンドを具備し、前記交信基地局を選択ための前記手段は、前記複数の基地局の各々に関する送信電力レベルを前記基地局から受信されたＰＣコマンドに基づいて決定するための手段と、
前記複数の基地局の各々に関するパワーダウンコマンドの割合を決定するための手段と、
前記複数の基地局に関する送信電力レベル及びパワーダウンコマンドの割合に基づいて前記交信基地局を選択するための手段と、を具備する請求項３２に記載の装置。
【請求項３７】
前記フィードバックは、消去指示を具備し、前記交信基地局を選択するための前記手段は、前記複数の基地局の各々に関する消去率を前記基地局から受信された消去指示に基づいて決定するための手段と、
最低の消去率を有する基地局を前記交信基地局として選択するための手段と、を具備する請求項３２に記載の装置。
【請求項３８】
無線通信システムにおいて逆方向リンクで複数の基地局に送信を送り、
前記複数の基地局からフィードバックを受信し、
前記逆方向リンクに関する端末に関する交信基地局を前記受信されたフィードバックに基づいて選択する、ために無線デバイスにおいて動作可能な命令を格納するためのプロセッサ読み取り可能媒体。
【請求項３９】
端末に関するチャネル情報を複数の基地局から受信し、前記端末に関する交信基地局を前記複数の基地局から受信された前記チャネル情報に基づいて選択するように構成された少なくとも１つのプロセッサと、
前記少なくとも１つのプロセッサに結合されたメモリと、を具備し、各基地局からの前記チャネル情報は、前記端末に関して前記基地局によって観測されたチャネル品質を示す、装置。
【請求項４０】
各基地局からの前記チャネル情報は、逆方向リンクにおいて前記端末によって送られた既知の送信に基づいて導き出される請求項３９に記載の装置。
【請求項４１】
各基地局からの前記チャネル情報は、逆方向リンクにおいて前記端末によって送信された疑似ランダム数（ＰＮ）シーケンスに基づいて導き出される請求項３９に記載の装置。
【請求項４２】
各基地局からの前記チャネル情報は、前記端末から前記基地局によって受信された送信に関する受信電力測定を具備し、前記少なくとも１つのプロセッサは、最大の受信電力測定を有する基地局を前記交信基地局として選択するように構成される請求項３９に記載の装置。
【請求項４３】
各基地局からの前記チャネル情報は、前記端末から受信された送信に基づいて前記基地局によって得られたチャネル品質推定を具備する請求項３９に記載の装置。
【請求項４４】
各基地局からの前記チャネル情報は、前記端末から受信された送信に基づいて前記基地局によって生成された電力制御（ＰＣ）コマンドを具備する請求項３９に記載の装置。
【請求項４５】
前記少なくとも１つのプロセッサは、前記逆方向リンクにおいて前記端末と交信するために選択可能な前記複数の基地局を有する第１の候補組を維持し、順方向リンクにおいて前記端末と交信するために選択可能な少なくとも１つの基地局を有する第２の候補組を維持するように構成される請求項３９に記載の装置。
【請求項４６】
前記少なくとも１つのプロセッサは、前記チャネル情報を順方向リンクを介して前記複数の基地局から受信し、前記選択された交信基地局を逆方向リンクを介して送信するように構成される請求項３９に記載の装置。
【請求項４７】
前記少なくとも１つのプロセッサは、無線通信システムにおいてバックホールを介して前記チャネル情報を前記複数の基地局から受信し、前記選択された交信基地局を前記バックホールを介して前記複数の基地局のうちの少なくとも１つに送信するように構成される請求項３９に記載の装置。
【請求項４８】
前記少なくとも１つのプロセッサは、無線通信システムにおいてバックホールを介して前記チャネル情報を前記複数の基地局から受信し、
前記選択された交信基地局を前記端末に送信する、ように構成される請求項３９に記載の装置。
【請求項４９】
端末に関するチャネル情報を複数の基地局から受信することと、
前記端末に関する交信基地局を前記複数の基地局から受信された前記チャネル情報に基づいて選択すること、とを具備し、各基地局からの前記チャネル情報は、前記端末に関して前記基地局によって観測されたチャネル品質を示す、方法。
【請求項５０】
順方向リンクを介して前記複数の基地局から前記チャネル情報を受信することと、前記選択された交信基地局を逆方向リンクを介して送信すること、とをさらに具備する請求項４９に記載の方法。
【請求項５１】
無線通信システムにおいてバックホールを介して前記チャネル情報を前記複数の基地局から受信することと、
前記選択された交信基地局を前記バックホールを介して前記複数の基地局のうちの少なくとも１つに送信すること、とをさらに具備する請求項４９に記載の装置。
【請求項５２】
端末に関するチャネル情報を複数の基地局から受信するための手段であって、各基地局からの前記チャネル情報は、前記端末に関して前記基地局によって観測されたチャネル品質を示す手段と、
前記端末に関する交信基地局を前記複数の基地局から受信された前記チャネル情報に基づいて選択するための手段と、を具備する装置。
【請求項５３】
順方向リンクを介して前記複数の基地局から前記チャネル情報を受信するための手段と、前記選択された交信基地局を逆方向リンクを介して送信するための手段と、をさらに具備する請求項５２に記載の装置。
【請求項５４】
無線通信システムにおいてバックホールを介して前記チャネル情報を前記複数の基地局から受信するための手段と、
前記選択された交信基地局を前記バックホールを介して前記複数の基地局のうちの少なくとも１つに送信するための手段と、をさらに具備する請求項５２に記載の装置。
【請求項５５】
端末に関するチャネル情報を複数の基地局から受信し、
前記端末に関する交信基地局を前記複数の基地局から受信された前記チャネル情報に基づいて選択する、ために動作可能な命令を格納するためのプロセッサ読み取り可能媒体であって、
各基地局からの前記チャネル情報は、前記端末に関して前記基地局によって観測されたチャネル品質を示す、プロセッサ読み取り可能媒体。
【発明の詳細な説明】
【技術分野】
【０００１】
35 U.S.C.§119に基づく優先権の主張
本特許出願は、本特許出願の譲受人に対して譲渡されておりさらに本明細書において参照されることによって本明細書に組み入れられている、米国仮特許出願一連番号６０／６９１，４３５“OFDMA RELATIVE CHANNEL SELECTION FOR HANDOFF（ハンドオフに関するOFDMA相対チャネル選択）”（出願日：２００５年６月１６日）、及び特許出願一連番号６０／７９３，１１５ “SERVING BASE STATION SELECTION IN A WIRELSS COMMUNICATION SYSTEM”（無線通信システムにおける交信基地局選択）（出願日：２００６年４月１８日）の利益を主張するものである。
【０００２】
本開示は、一般的には、通信に関するものである。本開示は、より具体的には、交信基地局を選択するための技術に関するものである。
【背景技術】
【０００３】
音声、映像、パケットデータ、ブロードキャスト、メッセージ伝送等の様々な通信サービスを提供するために無線通信システムが幅広く利用されている。これらのシステムは、利用可能なシステム資源を共有することによって複数の端末に関する通信をサポートすることができる多重接続システムであることができる。前記多重接続システムの例は、符号分割多重接続（ＣＤＭＡ）システムと、時分割多重接続（ＴＤＭＡ）システムと、周波数分割多重接続（ＦＤＭＡ）システムと、直交周波数分割多重接続（ＯＦＤＭＡ）システムと、含む。
【０００４】
多重接続システムは、典型的には、順方向リンク及び逆方向リンクの各々における複数の端末に関する送信をサポートするために多重化方式を利用する。順方向リンク（又はダウンリンク）は、基地局から端末への通信を指し、逆方向リンク（またはアップリンク）は、端末から基地局への通信リンクを指す。逆方向リンクにおいては、端末からの送信は、１つ以上の基地局によって受信することができる。各基地局は、端末に関して異なるチャネル状態を観測する可能性があり、従って異なる品質の受信信号を有する送信を受信する可能性がある。逆方向リンクにおいて端末と交信するための適切な基地局を選択することによって、利用可能なシステム資源の向上された性能、及びより良い利用を達成させることができる。
【０００５】
従って、無線通信システムにおいて端末に関する交信基地局を選択するための技術が必要である。
【発明の概要】
【０００６】
本明細書においては、逆方向リンクに関する端末に関する交信基地局を選択するための技術が説明される。一実施形態においては、前記端末は、無線通信システムにおいて逆方向リンクで複数の基地局に送信を送る。前記送信は、制御チャネルにおいて送信されるシグナリングに関するものであることができる。前記端末は、前記複数の基地局からフィードバック（例えば、電力制御（ＰＣ）コマンド及び／又は消去指示）を受信する。各基地局は、前記制御チャネル及び／又は前記端末から受信されたその他の何らかの送信に基づいてフィードバックを生成することができる。前記端末は、前記制御チャネルの逆方向リンク電力制御を前記受信されたフィードバックに基づいて行う。
【０００７】
前記端末は、前記受信されたフィードバックに基づいて逆方向リンク（ＲＬ）交信基地局をさらに選択する。一実施形態においては、前記端末は、各基地局に関する送信電力レベルをその基地局から受信されたＰＣコマンドに基づいて決定し、最低の送信電力レベルを有する基地局をＲＬ交信基地局として選択する。他の実施形態においては、前記端末は、各基地局に関するパワーダウンコマンドの割合を決定し、最大のパワーダウンコマンド割合を有する基地局を前記ＲＬ交信基地局として選択する。さらに他の実施形態においては、前記端末は、基地局に関する送信電力レベルとパワーダウンコマンドの割合の組合せに基づいて前記ＲＬ交信基地局を選択する。さらに他の実施形態においては、前記端末は、各基地局に関する消去率をその基地局から受信された消去指示に基づいて決定し、最低の消去率を有する基地局を前記ＲＬ交信基地局として選択する。前記ＲＬ交信基地局は、逆方向リンクにおいて前記端末と交信するように指定される。
【０００８】
前記端末は、逆方向リンクにおいて前記端末と交信するために選択可能な１つの候補の組の基地局を有することができる。前記端末は、順方向リンクにおいて前記端末と交信するために選択可能な他の１つの候補の組の基地局を有することができる。これらの２つの候補組は、独立していることすなわち「互いに切り離されている」ことができ、基地局は、他方の候補組とは独立して各候補組に追加すること又は各候補組から削除することができる。
【０００９】
本発明の様々な側面及び実施形態が以下においてさらに詳細に説明される。
【００１０】
本発明の特長及び性質は、下記の発明を実施するための最良の形態と図面を併用することでさらに明確になるであろう。なお、同一のものについては図面全体に渡って同一の参照符号を付すこととする。
【図面の簡単な説明】
【００１１】
【図１】無線多重接続通信システムを示した図である。
【図２】複数の基地局と通信中の端末を示した図である。
【図３】ＰＣコマンドに基づいて異なる基地局に関する送信電力を独立して調整し、ＲＬチャネルの品質を確認する装置を示した図である。
【図４】ＰＣコマンドに基づいて全基地局に関する送信電力をまとめて調整し、ＲＬチャネルの品質を確認する装置を示した図である。
【図５】ＰＣコマンドに基づいて共通の制御チャネルの送信電力を調整し、ＲＬチャネルの品質を確認する装置を示した図である。
【図６】ＰＣコマンドに基づいて異なる基地局に関する送信電力を独立して調整し、ＲＬチャネルの品質を確認する他の装置を示した図である。
【図７】交信基地局に関する送信電力を独立して調整し、非交信基地局に関する送信電力をまとめて調整する装置を示した図である。
【図８】ＲＬ交信基地局選択器を示した図である。
【図９】消去指示に基づくＲＬ交信基地局の選択を示した図である。
【図１０】消去指示に基づいてＣＱＩチャネルの送信電力を調整し、ＲＬチャネルの品質を確認する装置を示した図である。
【図１１】端末によって送られた既知の送信に基づくＲＬ交信基地局の選択を示した図である。
【図１２】端末に関する交信基地局をＰＣコマンドに基づいて選択するためのプロセスを示した図である。
【図１３】端末に関する交信基地局をＰＣコマンドに基づいて選択するための装置を示した図である。
【図１４】逆方向リンクにおいて端末に関する交信基地局を既知の送信に基づいて選択するためのプロセスを示した図である。
【図１５】逆方向リンクにおいて端末に関する交信基地局を既知の送信に基づいて選択するための装置を示した図である。
【図１６】端末及び２つの基地局のブロック図である。
【発明を実施するための形態】
【００１２】
本明細書における「典型的」という表現は、「１つの例、事例、又は実例」であることを意味する。本明細書において「典型的」として記述されているいずれの実施形態も及びいずれの設計も、その他の実施形態及び設計よりも優先されるか又は有利であるとは必ずしも解釈すべきでない。
【００１３】
図１は、複数の基地局１１０及び複数の端末１２０を有する無線多重接続通信システム１００を示す。基地局は、端末と通信する局である。基地局は、アクセスポイント、ノードＢ、及び／又はその他の何らかのネットワークエンティティと呼ばれることもあり、アクセスポイント、ノードＢ、及び／又はその他の何らかのネットワークエンティティの機能の一部又は全部を含むことができる。各基地局１１０は、特定の地理上のエリア１０２に関する通信カバレッジを提供する。「セル」という用語は、前記用語が用いられる状況に依存して基地局及び／又はそのカバレッジエリアを指すことができる。システム容量を増大させるために、基地局カバレッジエリアを複数のより小さいエリア、例えば３つのより小さいエリア１０４ａ、１０４ｂ、及び１０４ｃに分割することができる。各より小さいエリアは、各々の基地局トランシーバサブシステム（ＢＴＳ）によって網羅することができる。「セクター」という用語は、前記用語が用いられる状況に依存してＢＴＳ及び／又はそのカバレッジエリアを指すことができる。セクターに分割されたセルに関して、前記セルの全セクターに関するＢＴＳは、典型的にはセルに関する基地局内に共配置される。
【００１４】
集中型アーキテクチャに関しては、システムコントローラ１３０は、基地局１１０に結合し、これらの基地局に関する調整及び制御を提供する。システムコントローラ１３０は、単一のネットワークエンティティ又はネットワークエンティティの集合であることができる。分散型アーキテクチャに関しては、基地局は、必要に応じて互いに通信することができる。
【００１５】
端末１２０は、システム全体に分散させることができ、各端末は、固定型又は移動型であることができる。端末は、アクセス端末、移動局、ユーザー装置、加入者局、及び／又はその他の何らかのエンティティと呼ばれることもあり、アクセス端末、移動局、ユーザー装置、加入者局、及び／又はその他の何らかのエンティティの機能の一部又は全部を含むことができる。端末は、無線デバイス、携帯電話、パーソナルデジタルアシスタント（ＰＤＡ）、無線モデム、ハンドヘルドデバイス等であることができる。
【００１６】
図１に示されるように、各端末１２０は、セル又はセクター内のあらゆる場所に所在することができ、さらに近くの基地局に対して異なる距離にあることができる。従って、各端末１２０は、異なる基地局１１０に関して異なるチャネル状態を観測すること可能性がある。同様に、各基地局１１０は、そのカバレッジエリア内の異なる端末に関して異なるチャネル状態を観測する可能性がある。一般的には、各リンクに関する端末と基地局との間のチャネル状態は、端末と基地局との間の距離、環境状態等の様々な要因による影響を受ける可能性がある。
【００１７】
時分割多重化（ＴＤＤ）システム、例えば全地球移動通信システム（ＧＳＭ（登録商標））システムにおいては、順方向リンク及び逆方向リンクは、共通の周波数帯域を共有し、順方向リンクに関するチャネル状態は、逆方向リンクに関するチャネル状態と良好な相関関係にあることができる。この場合は、１方のリンク（例えば逆方向リンク）に関するチャネルの品質は、他方のリンク（例えば、順方向リンク）に関するチャネル品質測定に基づいて推定することができる。従って、各端末は、ＴＤＤシステムにおける順方向リンク及び逆方向リンクの両方に関して単一の基地局によって交信することができる。
【００１８】
周波数分割多重化（ＦＤＤ）システムにおいては、順方向リンク及び逆方向リンクは、異なる周波数帯域が割り当てられ、順方向リンクに関するチャネル状態は、逆方向リンクに関するチャネル状態と良好な相関関係を有さない場合がある。この場合は、各リンクに関するチャネルの品質は、そのリンクに関するチャネル品質測定に基づいて推定することができる。良好な性能を達成させるために、各端末は、（１）端末に関する最良のチャネル品質を観測する基地局によって逆方向リンクにおいて及び（２）端末が最良のチャネル品質を観測したときの相手の基地局によって順方向リンクにおいて交信することができる。ＦＤＤシステムにおいては、逆方向リンクに関する最良の交信基地局は、順方向リンクに関する最良の交信基地局と同じであること又は異なることができる。
【００１９】
各基地局は、典型的には、順方向リンクにおいてパイロットを送信する。パイロットは、信号検出、チャネル推定、時間同期化、周波数補正等の様々な目的のために端末によって用いることができる既知の送信である。端末は、各基地局に関するＦＬチャネル品質をその基地局から受信されたパイロットに基づいて推定することができる。次に、端末は、端末によって受信された全基地局に関するＦＬチャネル品質推定に基づいて順方向リンクに関する交信基地局を選択することができる。
【００２０】
オーバーヘッドを低減させるため、各端末は、典型的には、前記端末がデータ及び／又はシグナリングも送信中でないかぎり逆方向リンクにおいてパイロットを送信しない。従って、基地局は、各端末に関するＲＬチャネル品質をその端末からのパイロットに基づいて推定できない場合がある。このため、後述されるように、端末に関するＲＬチャネル品質を推定するためにその他のメカニズムを用いることができる。
【００２１】
一実施形態においては、端末は、順方向リンクにおいてＦＬ交信基地局と呼ばれる基地局からのデータ送信を受信することができ、逆方向リンクにおいてＲＬ交信基地局と呼ばれる基地局にデータ送信を送ることができる。ＦＬ交信基地局は、ＲＬ交信基地局であることができる場合とできない場合がある。一実施形態においては、順方向リンク及び逆方向リンクに関して別々の候補組が端末に関して維持される。候補組は、アクティブセット又はその他の何らかの用語で呼ばれることもある。各リンクに関する候補組は、そのリンクに関する交信基地局と、端末をハンドオフすることができるときの相手である候補基地局と、を含む。基地局は、信号品質測定に基づいて各候補組に加えること又は各候補組から削除することができ、端末及び／又は基地局によって行うことができる。以下の説明の多くは、ＲＬ交信基地局をＲＬ候補組から選択することに関するものである。
【００２２】
一実施形態においては、端末は、ＲＬ候補組内の各基地局によって逆方向リンクにおいて専用制御チャネルが割り当てられる。専用制御チャネルは、順方向リンクにおいて受信されたパケットに関するチャネル品質指示（ＣＱＩ）リポート、電力制御（ＰＣ）コマンド、肯定応答（ＡＣＫ）及び／又は否定応答（ＮＡＫ）等の様々な型のシグナリングを送信するため、及び逆方向リンクにおいて資源を要求する等のために用いることができる。他の実施形態においては、端末は、ＲＬ候補組内の全基地局に関する共通制御チャネルが逆方向リンクにおいて割り当てられる。この実施形態においては、端末は、全基地局に関するシグナリングを、ＲＬ候補組内の全基地局によって受信できる共通制御チャネル上に多重化することができる。制御チャネルは、ＯＦＤＭＡ、ＣＤＭＡ、ＴＤＭＡ及び／又はＦＤＭＡ等によるシステム設計に依存して様々な方法で送信することができる。制御チャネルは、トラフィックチャネルと同じ多重接続方式（例えばＯＦＤＭＡ）を用いて送信することができ、又はトラフィックチャネルとは異なる多重接続方式を用いて送信することができる。例えば、制御チャネルは、ＣＤＭＡを用いて送信することができ、トラフィックチャネルは、ＯＦＤＭＡを用いて送信することができる。各基地局に関する専用制御チャネルは、異なる疑似ランダム数（ＰＮ）シーケンス、異なる周波数ホッピングパターン、異なる組の副搬送波又はタイムスロット等を用いて送信することができる。いずれの場合においても、ＲＬ候補組内の各基地局は、端末に関するＲＬチャネル品質を端末から受信された制御チャネルに基づいて推定することができる。
【００２３】
図２は、複数の基地局１１０ａ乃至１１０ｌと通信中の端末１２０ｘの実施形態を示す。端末１２０ｘは、（１）ＲＬ候補の組内の基地局１１０ａ乃至１１０ｌの各々に専用制御チャネルを送信すること、（２）全基地局に共通制御チャネルを送信すること、又は（３）専用制御チャネルと共通制御チャネルの組合せ、例えば、専用制御チャネルを交信基地局１１０ｌに、共通制御チャネルを非交信基地局１１０ａ乃至１１０ｋに送信することができる。各基地局１１０は、端末１２０ｘに関するＲＬチャネル品質を端末１２０ｘから受信された制御チャネルに基づいて推定することができる。一実施形態においては、制御チャネルに関して閉ループ電力制御が行われる。閉ループ電力制御に関して、各基地局１１０は、端末１２０ｘから受信された制御チャネルの信号品質を推定し、制御チャネルの送信電力を調整するように端末１２０ｘに指示するＰＣコマンドを生成する。各ＰＣコマンドは、（１）送信電力の増大を指示するパワーアップ（すなわちＵＰ）コマンド又は（２）送信電力の低減を指示するパワーダウン（すなわちＤＯＷＮ）コマンドであることができる。各基地局１１０は、ＰＣコマンドを端末１２０ｘに送信する。端末１２０ｘは、後述されるように、制御チャネルの送信電力を受信されたＰＣコマンドに基づいて調整する。同じく後述されるように、端末１２０ｘは、各端末１２０ｘに関して各基地局１１０によって観測されたＲＬチャネル品質を受信されたＰＣコマンドに基づいて確認することも可能である。
【００２４】
図３は、端末１２０ｘに関して異なる基地局から受信されたＰＣコマンドに基づいて専用制御チャネルの送信電力を独立して調整し、これらの基地局によって観測されたＲＬチャネル品質を確認するための装置３００の実施形態を示す。この実施形態においては、端末１２０ｘは、各基地局から受信されたＰＣコマンドに基づいて、ＲＬ候補組内の基地局に別々の制御チャネルを送信し、その基地局に送信される制御チャネルの送信電力を独立して調整する。基地局は、制御チャネルが基地局において同様の性能を達成させるようにＰＣコマンドを生成することができる。性能は、ターゲット信号・雑音比（ＳＮＲ）、ターゲット信号・雑音・干渉比（ＳＩＮＲ）、ターゲット搬送波・干渉比（Ｃ／Ｉ）、ターゲットとなるシンボル当たりのエネルギーと雑音の比（Ｅｓ／Ｎｏ）、ターゲット消去率、ターゲットブロック誤り率、及び／又はその他の何らかの基準によって定量化することができる。説明を明確化するため、以下の説明は、ターゲットＣ／Ｉによって性能が定量化されると仮定する。
【００２５】
図３に示される実施形態においては、基地局１１０ａ乃至１１０ｌに関するシグナリングが制御チャネルプロセッサ３１０ａ乃至３１０ｌにそれぞれ提供される。各制御チャネルプロセッサ３１０は、そのシグナリングを処理（例えば、符号化及びシンボルマッピング）し、シグナリングシンボルを提供する。基地局１１０ａ乃至１１０ｌから受信されたＰＣコマンドは、電力制御プロセッサ３１２ａ乃至３１２ｌにそれぞれ提供される。各電力制御プロセッサ３１２は、各受信されたＰＣコマンドに関する決定を行う。ＰＣ決定は、受信されたＰＣコマンドがＵＰコマンドであるとみなされる場合はＵＰコマンド、受信されたＰＣコマンドがＤＯＷＮコマンドであるとみなされる場合はＤＯＷＮコマンドであることができる。各電力制御プロセッサ３１２は、関連する制御チャネルの送信電力をＰＣ決定に基づいて以下のように調整することができる。
【数１】
2011239423.tif 000003
【００２６】
ここで、
ΔＰＵＰは、制御チャネルの送信電力に関するＵＰステップサイズである。
【００２７】
ΔＰＤＮは、制御チャネルの送信電力に関するＤＯＷＮステップサイズである。
【００２８】
Ｐｉ（ｎ）は、更新間隔ｎにおける基地局ｉに関する制御チャネルの送信電力である。
【００２９】
送信電力Ｐｉ（ｎ）及びステップサイズΔＰＵＰ及びΔＰＤＮは、デシベル（ｄＢ）の単位で与えられる。
【００３０】
各電力制御プロセッサ３１２は、関連する制御チャネルに関する送信電力利得を以下のように計算することができる。
【数２】
2011239423.tif 000004
【００３１】
ここで、Ｇｉ（ｎ）は、更新間隔ｎにおける基地局ｉに関する制御チャネルの送信電力利得である。送信電力利得Ｇｉ（ｎ）は線形単位で与えられる。
【００３２】
乗算器３１４ａ乃至３１４ｌは、シグナリングシンボルを制御チャネルプロセッサ３１０ａ乃至３１０ｌからそれぞれ受信して電力制御プロセッサ３１２ａ乃至３１２ｌからの送信電力利得Ｇａ（ｎ）乃至Ｇｌ（ｎ）をそれぞれ乗じ、基地局１１０ａ乃至１１０ｌに関するスケーリングされたシグナリングシンボルをそれぞれ提供する。合成器３１６は、乗算器３１４ａ乃至３１４ｌからのスケーリングされたシグナリングシンボルを合成（例えば合計又は多重化）し、ＲＬ候補組内の全基地局に関する出力シグナリングシンボルを提供する。
【００３３】
図３に示される実施形態においては、ＲＬ交信基地局選択器３２０は、基地局１１０ａ乃至１１０ｌに関するそれぞれのフィルタ３２２ａ乃至３２２ｌと、選択器３２４と、を含む。フィルタ３２２ａ乃至３２２ｌは、送信電力レベルＰａ（ｎ）乃至Ｐｌ（ｎ）をそれぞれ受信してフィルタリングし、基地局１１０ａ乃至１１０ｌに関するフィルタリングされた送信電力レベルをそれぞれ提供する。各フィルタ３２２は、（例えばＦＩＲフィルタを用いて）特定の時間ウィンドーにおけるスライディング／移動平均を実行すること、（例えばＩＩＲフィルタを用いて）その他の何らかの方法でのフィルタリングを行うこと、その他の何らかの線形又は非線形の信号処理を行うこと、又は処理をまったく行わないことができる（処理をまったく行わない場合は、フィルタリングされた送信電力レベルは、フィルタリングされない送信電力レベルと等しい）。選択器３２４は、基地局１１０ａ乃至１１０ｌに関する制御チャネルに関するフィルタリングされた送信電力レベルを受信し、フィルタリングされた送信電力レベルが最低である基地局をＲＬ交信基地局として選択する。
【００３４】
一例として、端末１２０ｘは、２つの基地局１及び２を有するＲＬ候補組を有することができる。端末１２０ｘは、制御チャネル１を基地局１に、及び制御２を基地局２に送信することができる。基地局１からのＰＣコマンドは、ターゲットＣ／Ｉを達成させるために制御チャネル１の送信電力を調整することができる。同様に、基地局２からのＰＣコマンドは、同じターゲットＣ／Ｉを達成させるために制御チャネル２の送信電力を調整することができる。端末１２０ｘは、制御チャネル１に関するフィルタリングされた送信電力レベルを制御チャネル２に関するフィルタリングされた送信電力レベルと比較してこれらの制御チャネルの相対的性能を決定する。制御チャネル１に関するフィルタリングされた送信電力レベルが制御チャネル２に関するフィルタリングされた送信電力レベルよりも低い場合は、制御チャネル１は、制御チャネル２よりも良いチャネル状態を観測し、従ってターゲットＣ／Ｉを達成させる上でより少ない送信電力を要求する。端末１２０ｘは、基地局１をＲＬ交信基地局として選択することができ、現在のＲＬ交信基地局、新しいＲＬ交信基地局、又はＲＬ候補組内の全基地局にこの選択を伝達することができる。
【００３５】
図４は、端末１２０ｘに関して異なる基地局から受信されたＰＣコマンドに基づいて全専用制御チャネルの送信電力をまとめて調整し、これらの基地局によって観測されたＲＬチャネル品質を確認するための装置４００の実施形態を示す。この実施形態においては、端末１２０ｘは、ＲＬ候補組内の基地局に別々の制御チャネルを送信するが、これらの全制御チャネルに関して同じ送信電力レベルを用いる。端末１２０ｘは、ＲＬ候補組内の全基地局から受信されたＰＣコマンドに基づいてこの送信電力レベルを調整し、ＲＬ候補組内の最良の基地局においてターゲットＣ／Ｉが達成されるようにする。
【００３６】
図４に示される実施形態においては、制御チャネルプロセッサ４１０ａ乃至４１０ｌは、基地局１１０ａ乃至１１０ｌに関するシグナリングをそれぞれ処理し、シグナリングシンボルを提供する。電力制御プロセッサ４１２は、基地局１１０ａ乃至１１０ｌからＰＣコマンドを受信し、各受信されたＰＣコマンドに関する決定を行い、全基地局に関するＰＣ決定に基づいて全制御チャネルに関する共通送信電力レベルＰ（ｎ）を調整する。電力制御プロセッサ４１２は、各更新間隔においてＰＣ決定に関してオア・オブ・ザ・ダウン（ＯＲ  ｏｆ  ｔｈｅ  ＤＯＷＮ）規則を以下のように適用することができる。
【数３】
2011239423.tif 000005
【００３７】
電力制御プロセッサ４１２は、制御チャネルに関する送信電力利得Ｇ（ｎ）をＧ（ｎ）＝１０Ｐ（ｎ）／２０として計算することができる。制御チャネルは、潜在的に逆方向リンクにおいて端末１２０ｘと交信可能な基地局に送信されるため、オア・オブ・ザ・ダウン規則は、端末１２０ｘがＲＬ候補組内の最良の基地局によって決定されたより低い電力レベルで送信するのを可能にすることができる。このことは、リンクバジェット利得を提供し、利用可能な送信電力をより多くデータ送信のために用いることを可能にする。
【００３８】
乗算器４１４ａ乃至４１４ｌは、制御チャネルプロセッサ４１０ａ乃至４１０ｌからシグナリングシンボルをそれぞれ受信して電力制御プロセッサ４１２からの送信電力利得Ｇ（ｎ）を乗じ、基地局１１０ａ乃至１１０ｌに関するスケーリングされたシグナリングシンボルをそれぞれ提供する。合成器４１６は、乗算器４１４ａ乃至４１４ｌからのスケーリングされたシグナリングシンボルを合成し、ＲＬ候補組内の全基地局に関する出力シグナリングシンボルを提供する。
【００３９】
図４に示される実施形態においては、ＲＬ交信基地局選択器４２０は、基地局１１０ａ乃至１１０ｌに関するパワーダウン検出器４２２ａ乃至４２２ｌ及びフィルタ４２４ａ乃至４２４ｌと、選択器４２６と、を含む。検出器４２２ａ乃至４２２ｌは、基地局１１０ａ乃至１１０ｌに関するＰＣ決定Ｄａ（ｎ）乃至Ｄｌ（ｎ）を電力制御プロセッサ４１２から受信する。各検出器４２２は、ＤＯＷＮ決定を関連するフィルタ４２４に渡し、ＵＰ決定を捨てる。各フィルタ４２４は、ＤＯＷＮ決定をフィルタリングし、関連する基地局１１０に関するパワーダウン割合を提供する。各フィルタ４２４は、（例えばＦＩＲフィルタを用いて）特定の時間ウィンドーにおけるスライディング／移動平均を実行することができ又はその他の何らかの方法で（例えばＩＩＲフィルタを用いて）フィルタリングを行うことができる。選択器４２６は、基地局１１０ａ乃至１１０ｌに関するパワーダウン割合を受信し、最大のパワーダウン割合を有する基地局をＲＬ交信基地局として選択する。この基地局は、最大のパワーダウンコマンド割合を有し、従って端末１２０ｘに関する最良のＲＬチャネル品質を有する。
【００４０】
一例として、端末１２０ｘは、上述されるように、２つの基地局１及び２を有するＲＬ候補組を有することができ、制御チャネル１及び２をこれらの基地局に送信することができる。端末１２０ｘは、ＤＯＷＮコマンドがいずれかの基地局から受信された場合は両方の制御チャネルの送信電力を同じレベルに低減させる。基地局１が５０％ＤＯＷＮコマンドを送信中であり、基地局２が０％ＤＯＷＮコマンドを送信中であることがパワーダウン割合によって示される場合は、基地局１は、端末１２０ｘに関して基地局２よりも良いＲＬチャネル品質を観測する。これで、端末１２０ｘは、基地局１をＲＬ交信基地局として選択することができ、現在のＲＬ交信基地局、新しいＲＬ交信基地局、又はＲＬ候補組内の全基地局にこの選択を伝達することができる。
【００４１】
ＲＬ交信基地局は、ＤＯＷＮ決定の代わりにＵＰ決定に基づいて選択することも可能である。この場合は、最小のＵＰ決定割合を有する基地局を、端末１２０ｘに関する最良のＲＬチャネル品質を有する基地局であるとみなすことができる。一般的には、ＲＬ交信基地局は、ＤＯＷＮ決定、ＵＰ決定、又はＵＰ決定とＤＯＷＮ決定の組合せに基づいて選択することができる。
【００４２】
図５は、端末１２０ｘに関してＰＣコマンドに基づいて共通制御チャネルの送信電力を調整し、ＲＬチャネル品質を確認するための装置５００の実施形態を示す。この実施形態においては、端末１２０ｘは、ＲＬ候補組内の全基地局に共通制御チャネルを送信し、全基地局から受信されたＰＣコマンドに基づいてこの制御チャネルの送信電力を調整する。
【００４３】
図５に示される実施形態においては、マルチプレクサ（Ｍｕｘ）５０８は、基地局１１０ａ乃至１１０ｌに関するシグナリングを受信して多重化する。制御チャネルプロセッサ５１０は、多重化されたシグナリングを処理してシグナリングシンボルを提供する。電力制御プロセッサ５１２は、基地局１１０ａ乃至１１０ｌからＰＣコマンドを受信し、受信されたＰＣコマンドに基づいて、例えば方程式（３）に示されるように、オア・オブ・ザ・ダウン規則を用いて制御チャネルの送信電力Ｐ（ｎ）を調整する。乗算器５１４は、制御チャネルプロセッサ５１０からのシグナリングシンボルに、電力制御プロセッサ５１２からの送信電力利得Ｇ（ｎ）を乗じ、スケーリングされたシグナリングシンボルを提供する。図４に関して上述されるように、ＲＬ交信基地局選択器４２０は、最高のパワーダウン割合を有する基地局をＲＬ交信基地局として選択する。
【００４４】
図６は、端末１２０ｘに関してＰＣコマンドに基づいて専用制御チャネルの送信電力を独立して調整し、ＲＬチャネル品質を確認するための装置６００の実施形態を示す。この実施形態においては、端末１２０ｘは、ＲＬ候補組内の基地局に別々の制御チャネルを送信し、ターゲットＣ／Ｉを達成させるように交信基地局に関する制御チャネルの送信電力を調整し、異なる基準に基づいて各非交信基地局に関する制御チャネルの送信電力を調整する。一実施形態においては、各非交信基地局に関する送信電力レベルは、（１）その基地局において制御チャネルに関するターゲットＣ／Ｉを達成させるために必要な送信電力レベル及び（２）交信基地局に関する送信電力レベルのうちの低いほうの送信電力レベルに設定される。この実施形態は、過度の送信電力が非交信基地局に関して用いられないようにする。端末１２０ｘに関して複数の異なる基地局によって観測されたＲＬチャネル品質は、フィルタリングされた送信電力レベルと基地局に関するパワーダウンコマンドの割合の組合せに基づいて確認することができる。
【００４５】
図６に示される実施形態においては、制御チャネルプロセッサ６１０ａ乃至６１０ｌは、基地局１１０ａ乃至１１０ｌに関するシグナリングをそれぞれ処理し、シグナリングシンボルを提供する。電力制御プロセッサ６１２ａ乃至６１２ｌは、基地局１１０ａ乃至１１０ｌからＰＣコマンドをそれぞれ受信する。各ＰＣコマンドプロセッサ６１２は、各受信されたＰＣコマンドに関する決定を行い、例えば方程式（１）において示されるように、関連する基地局１１０に関する制御チャネルの送信電力をＰＣコマンドに基づいて調整する。電力制御プロセッサ６１２ａ乃至６１２ｋは、さらに、交信基地局１１０ｌに関する送信電力レベルＰｌ（ｎ）を受信し、非交信基地局に関する送信電力レベルを以下のように制限する。
【数４】
2011239423.tif 000006
【００４６】
ここで、
【数５】
2011239423.tif 000007
【００４７】
は、非交信基地局ｉに関する最終的な送信電力レベルである。
【００４８】
電力制御プロセッサ６１２ａ乃至６１２ｋは、例えば方程式（２）において示されるように、基地局１１０ａ乃至１１０ｋに関する最終的な送信電力レベルＰ〜ａ（ｎ）乃至にＰ〜ｋ（ｎ）それぞれ基づいて、基地局１１０ａ乃至１１０ｋに関する制御チャネルに関する送信電力利得
【数６】
2011239423.tif 000008
【００４９】
も計算する。電力制御プロセッサ６１２ｌは、交信基地局１１０ｌに関する制御チャネルに関する送信電力利得Ｇｌ（ｎ）を前記交信基地局に関する送信電力レベルＰｌ（ｎ）に基づいて計算する。
【００５０】
乗算器６１４ａ乃至６１４ｌは、制御チャネルプロセッサ６１０ａ乃至６１０ｌからシグナリングシンボルをそれぞれ受信して電力制御プロセッサ６１２ａ乃至６１２ｌからの送信電力利得Ｇ〜ａ（ｎ）乃至Ｇ〜ｋ（ｎ）及びＧｌ（ｎ）をそれぞれ乗じ、基地局１１０ａ乃至１１０ｌに関するスケーリングされたシグナリングシンボルをそれぞれ提供する。合成器６１６は、乗算器６１４ａ乃至６１４ｌからのスケーリングされたシグナリングシンボルを合成し、ＲＬ候補組内の全基地局に関する出力シグナリングシンボルを提供する。
【００５１】
ＲＬ候補基地局選択器６２０は、ＲＬ候補組内の基地局に関するＰＣ決定Ｄａ（ｎ）乃至Ｄｌ（ｎ）に加えて最終的な送信電力レベルＰ〜ａ（ｎ）乃至Ｐ〜ｋ（ｎ）及びＰｌ（ｎ）を受信する。選択器６２０は、図８において後述されるように、これらの入力に基づいて端末１２０ｘに関するＲＬ交信基地局を選択する。
【００５２】
図７は、端末１２０ｘに関してＰＣコマンドに基づいて交信基地局に関する専用制御チャネルの送信電力を独立して調整し、非交信基地局に関する専用制御チャネルの送信電力をまとめて調整し、ＲＬチャネル品質を確認するための装置７００の実施形態を示す。この実施形態においては、端末１２０ｘは、別々の制御チャネルをＲＬ候補組内の基地局に送信し、ターゲットＣ／Ｉを達成させるために交信基地局に関する制御チャネルの送信電力を調整し、異なる基準に基づいて非交信基地局に関する制御チャネルの送信電力を調整する。一実施形態においては、非交信基地局に関する送信電力レベルは、オア・オブ・ザ・ダウン規則に基づいてまとめて調整され、交信基地局に関する送信電力レベルによってさらに制限される。
【００５３】
図７に示される実施形態においては、制御チャネルプロセッサ７１０ａ乃至７１０ｌは、基地局１１０ａ乃至１１０ｌに関するシグナリングをそれぞれ処理し、シグナリングシンボルを提供する。電力制御プロセッサ７１２ｌは、交信基地局１１０ｌからＰＣコマンドを受信し、各受信されたＰＣコマンドに関する決定を行い、例えば方程式（１）において示されるように、ＰＣ決定に基づいて交信基地局に関する制御チャネルの送信電力を調整する。電力制御プロセッサ７１２は、基地局１１０ａ乃至１１０ｋからＰＣコマンドを受信し、各受信されたＰＣコマンドに関する決定を行い、これらの基地局に関するＰＣ決定に基づいて非交信基地局１１０ａ乃至１１０ｋに関する制御チャネルに関する送信電力レベルＰｎｓ（ｎ）を調整する。電力制御プロセッサ７１２は、方程式（３）において示されるように、オア・オブ・ザ・ダウン規則を適用することができる。この実施形態は、過度の送信電力が非交信基地局に関して用いられないようにする。
【００５４】
電力制御プロセッサ７１２は、交信基地局１１０ｌに関する送信電力レベルＰｌ（ｎ）も受信し、非交信基地局に関する送信電力レベルを以下のように制限する。
【数７】
2011239423.tif 000009
【００５５】
ここで、Ｐ〜ｎｓ（ｎ）は、非交信基地局に関する最終的な送信電力レベルである。電力制御プロセッサ７１２は、例えば方程式（２）において示されるように、最終的な送信電力レベルＰ〜ｎｓ（ｎ）に基づいて、非交信基地局に関する制御チャネルに関する送信電力利得Ｇ〜ｎｓ（ｎ）を計算することができる。
【００５６】
乗算器７１４ａ乃至７１４ｋは、制御チャネルプロセッサ７１０ａ乃至７１０ｋからシグナリングシンボルをそれぞれ受信して電力制御プロセッサ７１２からの送信電力利得Ｇ〜ｎｓ（ｎ）を乗じ、基地局１１０ａ乃至１１０ｋに関するスケーリングされたシグナリングシンボルをそれぞれ提供する。乗算器７１４ｌは、制御チャネルプロセッサ７１０ｌからシグナリングシンボルを受信して電力制御プロセッサ７１２ｌからの送信電力利得Ｇｌ（ｎ）を乗じ、基地局１１０ｌに関するスケーリングされたシグナリングシンボルを提供する。合成器７１６は、乗算器７１４ａ乃至７１４ｌからのスケーリングされたシグナリングシンボルを合成し、ＲＬ候補組内の全基地局に関する出力シグナリングシンボルを提供する。
【００５７】
ＲＬ交信基地局選択器７２０は、ＲＬ候補組内の基地局に関するＰＣ決定Ｄａ（ｎ）乃至Ｄｌ（ｎ）に加えて最終的な送信電力レベルＰ〜ｎｓ（ｎ）及びＰｌ（ｎ）を受信する。端末１２０ｘに関して異なる基地局によって観測されたＲＬチャネル品質は、基地局に関するフィルタリングされた送信電力レベルとパワーダウンコマンドの割合の組合せに基づいて確認することができる。選択器７２０は、後述されるように、端末１２０ｘに関するＲＬ交信基地局を受信された入力に基づいて選択する。
【００５８】
他の実施形態においては、端末１２０ｘは、専用制御チャネルを交信基地局１１０ｌに送信し、共通制御チャネルを非交信基地局１１０ａ乃至１１０ｋに送信する。専用制御チャネルの送信電力は、電力制御プロセッサ７１２ｌによって独立して調整することができる。共通制御チャネルの送信電力は、電力制御プロセッサ７１２によってまとめて調整することができる。
【００５９】
図８は、図６におけるＲＬ交信基地局選択器６２０の実施形態を示す。選択器６２０は、フィルタ８２２ａ乃至８２２ｌと、パワーダウン検出器８２４ａ乃至８２４ｌと、基地局１１０ａ乃至１００ｌに関するそれぞれのフィルタ８２６ａ乃至８２６ｌと、選択器８２８と、を含む。フィルタ８２２ａ乃至８２２ｌは、基地局１１０ａ乃至１１０ｌに関する制御チャネルに関する最終的な送信電力レベルをそれぞれフィルタリングし、フィルタリングされた送信電力レベルを提供する。検出器８２４ａ乃至８２４ｌは、基地局１１０ａ乃至１１０ｌに関するＰＣ決定Ｄａ（ｎ）乃至Ｄｌ（ｎ）をそれぞれ受信し、ＤＯＷＮ決定をフィルタ８２６ａ乃至８２６ｌにそれぞれ渡す。各フィルタ８２６は、ＤＯＷＮ決定をフィルタリングし、関連する基地局１１０に関するパワーダウン割合を提供する。選択器８２８は、基地局１１０ａ乃至１１０ｌに関するフィルタリングされた送信電力レベル及びパワーダウン割合を受信し、これらの基地局のうちの１つをＲＬ交信基地局として選択する。一実施形態においては、選択器８２８は、最低のフィルタリングされた送信電力レベルを有する基地局をＲＬ交信基地局として選択する。複数の基地局が同じ最低のフィルタリングされた送信電力レベルを有する場合は、選択器８２８は、これらの複数の基地局のうちで最大のパワーダウン割合を有する基地局をＲＬ交信基地局として選択する。パワーダウン割合は、同じ最低の送信電力レベルを有する基地局間における決定要素として用いられる。
【００６０】
図７におけるＲＬ交信基地局選択器７２０は、図８の選択器６２０と同様に実装することができる。最終的送信電力レベルＰ〜ｎｓ（ｎ）及びＰ（ｎ）は、フィルタリングされた送信電力レベルを得るためにフィルタリングすることができる。選択器７２０は、（１）フィルタリングされたＰ〜ｎｓ（ｎ）がフィルタリングされたＰｌ（ｎ）よりも低い場合は最大のパワーダウン割合を有する非交信基地局をＲＬ交信基地局として選択し、（２）フィルタリングされたＰ〜ｎｓ（ｎ）がフィルタリングされたＰｌ（ｎ）と等しい場合は最大のパワーダウン割合を有する基地局を選択することができる。
【００６１】
図３乃至７は、端末１２０ｘに関してＰＣコマンドに基づいて逆方向リンク電力制御を行い、ＲＬチャネル品質を確認するための様々な実施形態を示す。逆方向リンク電力制御は、その他の方法で実行することもできる。ＲＬチャネル品質は、その他の方法でＰＣコマンドに基づいて確認することも可能である。例えば、十分な信頼性を有する受信されたＰＣコマンドのみを電力制御に関して及びＲＬチャネル品質を確認するために用いることができ、信頼できないＰＣコマンドは捨てることができる。
【００６２】
図９は、端末１２０ｘに関するＲＬ交信基地局を選択するための他の実施形態を示す。この実施形態においては、端末１２０ｘは、逆方向リンクにおいて基地局１１０ａ乃至１１０ｌにコードワードを送信する。一般的には、コードワードは、何らかの情報に関するものであることができ、あらゆる方法で送信することができる。一実施形態においては、コードワードは、ＣＱＩリポートに関するものである。端末１２０ｘは、異なる基地局に関する順方向リンクの信号品質測定を、例えばこれらの基地局から受信されたパイロットに基づいて行うことができる。次に、端末１２０ｘは、ＦＬ信号品質測定に関するＣＱＩリポートを生成することができる。各ＣＱＩリポートは、特定の基地局に関する測定されたＦＬ信号品質を伝達することができる。各ＣＱＩリポートは、Ｌのビットを含む小さい語であることができ、ここでＬ≧１であり、コードブック内の２Ｌの可能なコードワードのうちの１つにマッピングすることができる。端末１２０ｘは、ＣＱＩリポートをＣＱＩチャネルで全基地局に送信することができる。
【００６３】
基地局１１０ａ乃至１１０ｌは、端末１２０ｘからコードワードを受信する。各基地局１１０は、各受信されたコードワードを復号して消去検出を行い、復号結果が希望される信頼レベルを満たしているかどうかを決定することができる。受信されたコードワードは、（１）復号結果が希望される信頼レベルを満たしていない場合は「消去され」、（２）復号結果が希望される信頼レベルを満たしている場合は「消去されない」。各基地局１１０は、受信されたコードワードに関する消去指示を端末１２０ｘに送信することができる。消去指示は、受信されたコードワードを消去するか又は消去しないかを示すことができる。端末１２０ｘは、受信された消去指示に基づいてＣＱＩチャネルの送信電力を調整することができる。端末１２０ｘは、端末１２０ｘに関して各基地局１１０によって観測されたＲＬチャネル品質を受信された消去指示に基づいて確認することもできる。
【００６４】
図１０は、端末１２０ｘに関して消去指示に基づいて送信電力を調整し、ＲＬチャネル品質を確認するための装置１０００の一実施形態を示す。この実施形態においては、マルチプレクサ１００８は、基地局１１０ａ乃至１１０に関するシグナリング（例えば、ＣＱＩリポート）を受信して多重化する。制御チャネルプロセッサ１０１０は、多重化されたシグナリングを処理してコードワードを提供する。電力制御プロセッサ１０１２は、基地局１１０ａ乃至１１０ｌから消去指示を受信し、各受信された消去指示に関する決定を行い、消去決定に基づいてＣＱＩチャネルの送信電力Ｐ（ｎ）を調整する。一実施形態においては、プロセッサ１０１２は、ＣＱＩチャネルの送信電力を交信基地局１１０ｌに関する消去決定のみに基づいて以下のように調整する。
【数８】
2011239423.tif 000010
【００６５】
ここで、
ΔＰｕｐは、消去された決定に関するアップステップサイズである。
【００６６】
ΔＰｄｎは、消去されない決定に関するダウンステップサイズである。
【００６７】
ΔＰｕｐ及びΔＰｄｎのステップサイズは、ターゲット消去率Ｐｒｅｒａｓｕｒｅに基づいて以下のように設定することができる。
【数９】
2011239423.tif 000011
【００６８】
その他の実施形態においては、プロセッサ１０１２は、交信基地局及び非交信基地局に関する消去決定に基づいてＣＱＩチャネルの送信電力を調整することができる。いずれの場合も、乗算器１０１４は、電力制御プロセッサ１０１２からの送信電力利得Ｇ（ｎ）を用いて制御チャネルプロセッサ１０１０からのコードワードをスケーリングし、スケーリングされたシグナリングシンボルを提供する。
【００６９】
図１０に示される実施形態においては、ＲＬ交信基地局選択器１０２０は、基地局１１０ａ乃至１１０ｌに関するそれぞれの消去指示プロセッサ１０２２ａ乃至１０２２ｌと、選択器１０２４と、を含む。プロセッサ１０２２ａ乃至１０２２ｌは、基地局１１０ａ乃至１１０ｌに関する消去決定Ｅａ（ｎ）乃至Ｅｌ（ｎ）を電力制御プロセッサ１０１２から受信する。各プロセッサ１０２２は、例えば予め決められた時間ウィンドー内における消去された決定数を数えることによって関連基地局１１０に関する消去率を決定する。各プロセッサ１０２２は、例えば図３においてフィルタ３２２に関して上述されるように、フィルタリング及び／又はその他の処理を行うことができる。選択器１０２４は、基地局１１０ａ乃至１１０ｌに関する消去率を受信し、最低の消去率を有する基地局をＲＬ交信基地局として選択する。
【００７０】
上述される一実施形態においては、基地局１１０は、受信されたコードワードが消去されるか又は消去されないかを示す単ビット消去指示を送信する。他の実施形態においては、基地局１１０は、端末１２０ｘに関する受信されたコードワードの品質及び／又は逆方向リンクの品質を示す多ビット値を送信する。
【００７１】
端末１２０ｘは、消去指示に基づいて、基地局１１０ａ乃至１１０ｌに関する相対的ＲＬチャネル品質のより良い順位を得ることができる。例えば、基地局１への逆方向リンクが基地局２への逆方向リンクよりも２ｄＢ不良である場合で、オア・オブ・ザ・ダウン規則が用いられる場合は、基地局１は、単に一連のＵＰコマンドを送信することができる。この場合は、基地局１への逆方向リンクが基地局２への逆方向リンクと比較してどの程度不良であるかを基地局１からのＵＰコマンドに基づいて確認できない場合がある。しかしながら、基地局１は、６５％の消去率を送信することができ、基地局２は５０％の消去率を送信することができる。従って、基地局１及び２に関する相対的ＲＬチャネル品質は、その消去率に基づいて決定することができる。ルックアップテーブルは、所定の動作シナリオに関するチャネル品質（例えばｄＢ）と消去率の関係を格納することができ、相対的ＲＬチャネル品質を決定するために用いることができる。相対的ＲＬチャネル品質情報は、ＦＬ及び／又はＲＬの交信基地局を選択するために用いることができる。例えば、ＦＬ交信基地局に関するＲＬ信号品質が最良のＲＬ基地局のＱｄＢ以内にある場合はＦＬ交信基地局をＲＬ交信基地局として選択するのが望ましいことがある。
【００７２】
図２乃至１０は、１つ以上の制御チャネルを逆方向リンクで基地局に送信し、順方向リンクで基地局からフィードバックを受信し、受信されたフィードバックに基づいて電力制御及びＲＬ交信基地局選択を行う様々な実施形態を示す。一般的には、端末は、様々な型のシグナリングを様々な制御チャネルにおいて様々なフォーマットで基地局に送信することができる。端末は、様々な型のフィードバック、例えば、ＰＣコマンド、消去指示、ＲＬ信号品質測定、受信信号電力測定等、又はそのあらゆる組合せを基地局から受信することも可能である。フィードバックは、端末に関する最良のＲＬ交信基地局を決定するために処理（例えばスクリーニング、フィルタリング等）することができる。
【００７３】
図１１は、端末１２０ｘに関するＲＬ交信基地局を選択するためのさらに他の実施形態を示す。この実施形態においては、端末１２０ｘは、端末１２０ｘ及び基地局１１０の両方によって知られているパイロット又はその他の何らかの送信であることができる既知の送信を送る。一実施形態においては、既知の送信は、例えば指定された電力レベル及び指定された時間間隔で送信される疑似ランダム数（ＰＮ）シーケンスである。一般的には、既知の送信は、各基地局に送信される専用送信又は全基地局に送信される共通送信を具備することができる。いずれの場合も、既知の送信は、端末１２０ｘに関するＲＬチャネル品質を推定するために用いることができる。
【００７４】
一実施形態においては、各基地局１１０は、端末１２０ｘに関する逆方向リンクのチャネル品質を受信された既知の送信に基づいて推定する。他の実施形態においては、各基地局は、端末１２０ｘからの既知の送信の受信された電力を測定する。基地局は、同様の雑音特性及び干渉特性を有すると仮定することができ、受信電力測定は、端末に関するＲＬチャネル品質推定として用いることができる。
【００７５】
指定されたエンティティ（例えば、基地局１１０ｌ、システムコントローラ１３０、又は端末１２０ｘ）は、ＲＬ候補組内の全基地局から端末１２０ｘに関するチャネル情報を収集することができる。このチャネル情報は、ＲＬチャネル品質推定、受信電力測定等を具備することができる。図１１に示される実施形態においては、システムコントローラ１３０が指定されたエンティティであり、基地局１１０ａ乃至１１０ｌは、バックホールを通じて端末１２０ｘに関するチャネル情報をシステムコントローラ１３０に送信する。システムコントローラ１３０は、各基地局に関するＲＬチャネル品質推定又は受信電力測定をフィルタリングできる場合とできない場合がある。システムコントローラ１３０は、最良のＲＬチャネル品質（例えば、最大のフィルタリングされた又はフィルタリングされない受信電力測定）を有する基地局を端末１２０ｘに関するＲＬ交信基地局として選択することができる。システムコントローラ１３０は、選択されたＲＬ交信基地局を現在の及び／又は新しいＲＬ交信基地局に送信することができる。選択されたＲＬ交信基地局は、明示のメッセージを端末１２０ｘに送信することによって、端末１２０ｘに対するＲＬチャネル割り当てを行うことによって、又はその他の何らかの手段によって端末１２０ｘに伝達することができる。
【００７６】
交信基地局１１０ｌが指定されたエンティティである場合は、その他の基地局は、端末１２０ｘに関するチャネル情報を基地局１１０ｌに送信し、基地局１１０ｌは、端末１２０ｘに関するＲＬ交信基地局を選択することができる。端末１２０ｘが指定されたエンティティである場合は、基地局は、オーバー・ザ・エアシグナリングを通じてチャネル情報を端末１２０ｘに送信することができ、端末１２０ｘは、ＲＬ交信基地局を選択することができる。端末１２０ｘは、選択されたＲＬ交信基地局を現在のＲＬ交信基地局、新しいＲＬ交信基地局、又はＲＬ候補組内の全基地局に伝達することができる。
【００７７】
上述される幾つかの実施形態においては、端末１２０ｘに関するＲＬチャネル品質は、端末１２０ｘによって送信された制御チャネルに基づいて基地局によって推定される。基地局は、端末１２０ｘに関するＲＬチャネル品質を示すフィードバック（例えば、ＰＣコマンド及び／又は消去指示）を送信することができる。異なる基地局に送信された制御チャネルに関する送信電力レベル及び／又は基地局に関するパワーダウン割合は、端末１２０ｘに関してこれらの基地局によって観測された相対的ＲＬチャネル品質を確認するために用いることができる。その他の実施形態においては、端末１２０ｘに関するＲＬチャネル品質は、端末１２０ｘによって送信された既知の送信（例えば、パイロット及び／又はデータ）に基づいて推定することができる。一般的には、端末１２０ｘに関するＲＬチャネル品質は、端末１２０ｘによって送られた送信に基づいて推定することができ、ＲＬ交信基地局の選択は、あらゆる型の情報を用いて、及びあらゆるエンティティ、例えば、端末１２０Ｘｘ、交信基地局１１０ｌ、システム１３０、又はその他の何らかのエンティティ、によって行うことができる。
【００７８】
ＲＬ交信基地局は、ＦＬ交信基地局、ＦＬチャネル品質、及び／又は順方向リンクに関するその他の情報に基づいて選択することも可能である。一実施形態においては、ＦＬ交信基地局の逆方向リンクが最良のＲＬ基地局の逆方向リンクよりもほんのわずかに不良である場合は、ＦＬ交信基地局がＲＬ交信基地局として選択される。他の実施形態においては、ＦＬチャネル品質が弱すぎてＦＬ制御チャネル（例えばＡＣＫチャネル）を適切にサポートできない場合は、端末は、ＲＬ交信基地局を選択する際にこの情報に評価することができる。
【００７９】
本明細書において説明される実施形態は、端末に関するＲＬチャネル品質を同じ端末に関するＦＬチャネル品質とは別々に確認することを可能にする。例えば、ＲＬチャネル品質は、逆方向リンクにおいて端末によって送られた制御チャネル又は既知の送信に基づいて確認することができ、ＦＬチャネル品質は、順方向リンクにおいて基地局によって送信されたパイロットに基づいて確認することができる。順方向リンク及び逆方向リンクに関して別々の候補組を維持することができる。このことは、ＦＬ交信基地局及びＲＬ交信基地局の独立した選択を考慮したものである。
【００８０】
図１２は、端末に関する交信基地局をＰＣコマンドに基づいて選択するためのプロセス１２００の実施形態を示す。プロセス１２００は、端末によって実行することができる。送信は、無線通信システムにおける複数の基地局に対して逆方向リンクで送られる（ブロック１２１２）。送信は、制御チャネルで送信されるシグナリング（例えば、ＣＱＩリポート、コードワード、ＡＣＫ、要求等）、データチャネルで送信されるデータ、又はその組合せに関するものであることができる。フィードバックが複数の基地局から受信され及び処理される（ブロック１２１４）。フィードバックは、ＰＣコマンド、消去指示、及び／又はその他の情報に関するものであることができる。各基地局は、端末によって送信された制御チャネル、既知の送信、及び／又はその他の何らかの送信に基づいてフィードバック（例えば、ＰＣコマンド及び／又は消去指示）を生成することができる。
【００８１】
逆方向リンク電力制御が受信されたフィードバックに基づいて行われる（ブロック１２１６）。一実施形態においては、例えば図３において示されるように、各基地局に関する送信電力レベルは、その基地局から受信されたＰＣコマンドに基づいて独立して調整される。他の実施形態においては、例えば図６において示されるように、各非交信基地局に関する送信電力レベルは、交信基地局に関する送信電力レベルに基づいてさらに制限される。さらに他の実施形態においては、例えば図４及び５において示されるように、全基地局に関する送信電力レベルは、これらの基地局から受信されたＰＣコマンドに基づいてまとめて調整される。さらに他の実施形態においては、例えば図７において示されるように、交信基地局に関する送信電力レベルは、この基地局から受信されたＰＣコマンドに基づいて独立して調整され、非交信基地局に関する送信電力レベルは、これらの基地局から受信されたＰＣコマンドに基づいてまとめて調整される。図６及び７において示されるように、非交信基地局に関する送信電力レベルは、交信基地局に関する送信電力レベルに基づいて制限することができる。上述される実施形態は、ＰＣコマンドの代わりに消去指示を用いて、ＰＣコマンドと消去指示の両方を用いて、又は基地局からのその他の型のフィードバックを用いて実行することも可能である。
【００８２】
交信基地局は、逆方向リンクに関する端末に関して受信されたフィードバックに基づいて選択される（ブロック１２１８）。一実施形態においては、各基地局に関する送信電力レベルは、その基地局から受信されたＰＣコマンドに基づいて決定される。次に、交信基地局は、全基地局に関する（フィルタリングされた又はフィルタリングされない）送信電力レベルに基づいて選択され、例えば最低の送信電力レベルを有する基地局を選択することができる。他の実施形態においては、各基地局に関するパワーダウンコマンドの割合が決定される。次に、交信基地局が全基地局に関するパワーダウンコマンドの割合に基づいて選択され、例えば最大のパワーダウンコマンド割合を有する基地局を選択することができる。さらに他の実施形態においては、送信電力レベル及びパワーダウンコマンドの割合は、各基地局に関してその基地局から受信されたＰＣコマンドに基づいて決定される。交信基地局は、全基地局に関する送信電力レベル及びパワーダウンコマンドの割合に基づいて選択される。最低の送信電力レベルを有する基地局を交信基地局として選択することができる。２つ以上の基地局が最低の送信電力レベルを有する場合は、これらの２つ以上の基地局の中で最大のパワーダウンコマンド割合を有する基地局を交信基地局として選択することができる。
【００８３】
さらに他の実施形態においては、各基地局に関してその基地局から受信された消去指示に基づいて消去率が決定される。次に、交信基地局は、全基地局に関する消去率に基づいて選択され、例えば最低の消去率を有する基地局を選択することができる。一般的には、交信基地局は、ＰＣコマンド、消去指示、ＰＣコマンドと消去指示の両方、その他の型のフィードバック、又は基地局からのフィードバックのあらゆる組合せに基づいて選択することができる。いずれの場合も、交信基地局は、逆方向リンクにおいて端末と交信する、例えば、逆方向リンクにおける送信に関するスケジューリングを行う、端末によって送られたデータ送信を受信する等を行うように指定される。
【００８４】
逆方向リンクにおいて端末と交信するために選択可能な基地局は、ＲＬ候補組内に維持することができる。順方向リンクにおいて端末と交信するために選択可能な基地局は、ＦＬ候補組内に維持することができる。ＦＬ及びＲＬの候補組は互いに独立していることができ、基地局は、他方の候補組から独立して各候補組に追加すること又は各候補組から削除することができる。
【００８５】
図１３は、ＰＣコマンドに基づいて端末に関する交信基地局を選択するための装置１３００の実施形態を示す。装置１３００は、無線通信システムにおいて逆方向リンクで複数の基地局に送信を送るための手段（ブロック１３１２）と、複数の基地局からフィードバックを受信するための手段（ブロック１３１４）と、受信されたフィードバックに基づいて逆方向リンク電力制御を行うための手段（ブロック１３１６）と、逆方向リンクに関する端末に関する交信基地局を受信されたフィードバックに基づいて選択するための手段（ブロック１３１８）と、を含む。
【００８６】
図１４は、端末に関するＲＬ交信基地局を選択するためのプロセス１４００の実施形態を示す。プロセス１４００は、指定されたエンティティによって実行することができ、前記エンティティは、端末、現在の交信基地局、システムコントローラ、又はその他の何らかのエンティティであることができる。
【００８７】
端末に関するチャネル情報が複数の基地局から受信される（ブロック１４１２）。各基地局からのチャネル情報は、端末に関してその基地局によって観測されたチャネル品質を示す。各基地局に関するチャネル情報は、制御チャネル、既知の送信（例えば、ＰＮシーケンス又はパイロット）、及び／又は逆方向リンクにおいて端末によって送られたその他の何らかの送信に基づいて導き出すことができる。各基地局からのチャネル情報は、受信電力測定、ＲＬチャネル品質推定、ＰＣコマンド、及び／又はその他の型の情報を具備することができる。ＲＬ交信基地局が、全基地局から受信されたチャネル情報に基づいて端末に関して選択される（ブロック１４１４）。例えば、最大の受信電力測定又は最高のＲＬチャネル品質推定を有する基地局をＲＬ交信基地局として選択することができる。
【００８８】
プロセス１４００が端末によって実行される場合は、端末は、順方向リンクにおいて基地局からチャネル情報を受信することができ、選択された交信基地局を逆方向リンクで現在の交信基地局、新しい交信基地局、及び／又はその他の何らかの基地局に送信することができる。プロセス１４００がネットワークエンティティによって実行される場合は、そのネットワークエンティティは、バックホールを介して基地局からチャネル情報を受信することができ、選択された交信基地局を前記バックホールを介してＲＬ候補組内の１つ以上の基地局に送信することができる。
【００８９】
図１５は、端末に関するＲＬ交信基地局を選択するための装置１５００の実施形態を示す。装置１５００は、端末に関するチャネル情報を複数の基地局から受信するための手段（ブロック１５１２）と、端末に関するＲＬ交信基地局を基地局から受信されたチャネル情報に基づいて選択するための手段（ブロック１５１４）と、を含む。
【００９０】
本明細書において説明される技術は、端末に関して各潜在的な交信基地局によって観測されるＲＬチャネル品質の決定を考慮するものである。この情報は、ハンドオフ、及びその他を目的として逆方向リンクにおいて端末と交信する上で最良の基地局を選択するために用いることができる。この情報は、逆方向リンクにおける送信をスケジューリングし、周波数の再利用を有するシステムにおいて特に適切である。
【００９１】
本明細書において説明される技術は、ＣＤＭＡ、ＴＤＭＡ、ＯＦＤＭＡ、及び単搬送波ＦＤＭＡ（ＳＣ−ＦＤＭＡ）等の様々な多重接続システムに関して用いることができる。これらの技術は、ＦＤＤ及びＴＤＤシステムに関しても用いることができる。これらの技術は、直交周波数分割多重化（ＯＦＤＭ）を利用するＯＦＤＭＡシステムにとって特に有益である。ＯＦＤＭは、システム帯域幅全体を複数（Ｋ）の直交周波数副搬送波に分割し、これらの直交周波数副搬送波は、トーン、ビン等とも呼ばれる。ＯＦＤＭＡシステムは、複数の端末に関する複数の送信間において直交性を達成させるために時及び／又は周波数分割多重化を用いることができる。一例として、各リンクに関して、異なる端末に異なる副搬送波を割り当てることができ、各端末に関する送信は、その端末に割り当てられた副搬送波で送信することができる。異なる端末に関する互いに独立した副搬送波を用いることによって、これらの端末間での干渉を回避する又は低減させることができ、向上された性能を達成させることができる。しかしながら、各リンクにおける送信のために利用可能な副搬送波数は、ＯＦＤＭＡシステムに関して用いられるＯＦＤＭＡ構造によって（Ｋに）制限されている。この制限された副搬送波数数によって、互いに干渉せず同時に送信及び／又は受信できる端末数に上限が設けられている。
【００９２】
互いに独立したＦＬ及びＲＬ交信基地局を有することは、ＯＦＤＭＡシステムにおいてＦＬ及びＲＬのチャネル品質の違いをより良く利用するために特に有益になる。
【００９３】
図１６は、図２の端末１２０ｘ、交信基地局１１０ｌ、及び非交信基地局１１０ｋの実施形態のブロック図である。交信基地局１１０ｌにおいて、送信（ＴＸ）データプロセッサ１６１４ｌは、データソース１６１２ｌからトラフィックデータを受信し、コントローラ／プロセッサ１６３０ｌ及びスケジューラ１６３４ｌからシグナリングを受信する。コントローラ／プロセッサ１６３０ｌは、基地局１１０ｌと通信中の端末の送信電力を調整するためのＰＣコマンド及び／又はその他のフィードバック情報を提供することができる。スケジューラ１６３４ｌは、データチャネル及び／又は副搬送波の割り当てを端末に提供することができる。ＴＸデータプロセッサ１６１４ｌは、トラフィックデータ及びシグナリングを処理（例えば符号化、インターリービング、及びシンボルマッピング）し、データシンボル及びシグナリングシンボルをそれぞれ提供する。変調器（Ｍｏｄ）１６１６ｌは、パイロットシンボルをデータシンボル及びシグナリングシンボルと多重化し、（例えばＯＦＤＭＡ及び／又はＣＤＭＡに関して）多重化されたシンボルに関する変調を行い、出力されたチップを提供する。送信機（ＴＭＴＲ）１６１８ｌは、出力されたチップをコンディショニング（例えば、アナログへの変換、増幅、フィルタリング、及び周波数アップコンバージョン）して順方向リンク信号を生成し、該順方向リンク信号は、アンテナ１６２０ｌを介して送信される。
【００９４】
非交信基地局１１０ｋも、基地局１１０ｋと交信中の端末及び候補組内において基地局１１０ｋを有する端末に関するトラフィックデータ及びシグナリングを同様に処理する。トラフィックデータ及びシグナリングは、ＴＸデータプロセッサ１６１４ｋによって処理され、変調器１６１６ｋによって変調され、送信機１６１８ｋによってコンディショニングされ、アンテナ１６２０ｋを介して送信される。
【００９５】
端末１２０ｘにおいて、アンテナ１６５２は、順方向リンク信号を基地局１１０ｋ及び１１０ｌ及び可能なことにその他の基地局から受信する。受信機（ＲＣＶＲ）１６５４は、アンテナ１６５２から受信された信号をコンディショニング（例えば、フィルタリング、増幅、周波数ダウンコンバージョン、デジタル化）してサンプルを提供する。復調器（Ｄｅｍｏｄ）１６５６は、（例えばＯＦＤＭＡ及び／又はＣＤＭＡに関して）サンプルに関する復調を行い、シンボル推定を提供する。ＲＸデータプロセッサ１６５８は、シンボル推定を処理（例えば、シンボルデマッピング、デインターリービング、及び復号）し、復号されたデータをデータシンク１６６０に提供し、検出されたシグナリング（例えば受信されたＰＣコマンド）をコントローラ／プロセッサ１６７０に提供する。一般的には、ＲＸデータプロセッサ１６５８及び復調器１６５６による処理は、基地局１１０におけるＴＸデータプロセッサ１６１４及び変調器１６１６による処理を補完するものである。
【００９６】
逆方向リンクにおいて、ＴＸデータプロセッサ１６８２は、データソース１６８０からのトラフィックデータ及びコントローラ／プロセッサ１６７０からのシグナリングを処理し、シンボルを生成する。シンボルは、変調器１６８４によって変調され、送信機１６８６によってコンディショニングされて逆方向リンク信号が生成され、該逆方向リンク信号は、アンテナ１６５２から送信される。コントローラ１６７０は、制御チャネルに関して用いられる送信電力レベル及び／又はＲＬ候補組内の基地局に送るべき既知の送信を提供することができる。
【００９７】
交信基地局１１０ｌにおいて、端末１２０ｘ及びその他の端末からの逆方向リンク信号がアンテナ１６２０ｌによって受信され、受信機１６４０ｌによってコンディショニングされ、復調器１６４２ｌによって復調され、ＲＸデータプロセッサ１６４４ｌによって処理される。プロセッサ１６４４ｌは、復号されたデータをデータシンク１６４６ｌに提供し、検出されたシグナリングをコントローラ／プロセッサ１６３０ｌに提供する。受信機１６４０ｌは、制御チャネルのＲＬチャネル品質（例えば、受信されたＣ／Ｉ）及び／又は各端末によって送られた既知の送信を推定することができ、この情報をコントローラ／プロセッサ１６３０ｌに提供することができる。コントローラ／プロセッサ１６３０ｌは、上述されるように、各端末に関するＰＣコマンド及び／又はその他のフィードバック情報をその端末に関するＲＬチャネル品質推定に基づいて導き出すことができる。非交信基地局１１０ｋも、端末１２０ｘによって送信されたシグナリングを同様に検出することができ、ＰＣコマンド及び／又はその他のフィードバック情報を端末１２０ｘに送信することができる。
【００９８】
コントローラ／プロセッサ１６３０ｋ、１６３０ｌ及び１６７０は、基地局１１０ｋ及び１１０ｌ及び端末１２０ｘにおける様々な処理装置の動作をそれぞれ指示する。これらのコントローラ／プロセッサは、電力制御及び交信基地局選択に関する様々な機能を実行することもできる。例えば、コントローラ／プロセッサ１６７０は、図３乃至７に示される装置３００乃至７００を実装することができる。コントローラ／プロセッサ１６７０は、図１２及び１４のプロセス１２００及び／又は１４００を実装することも可能である。メモリ１６３２ｋ、１６３２ｌ及び１６７２は、基地局１１０ｋ及び１１０ｌ及び端末１２０ｘに関するデータ及びプログラムコードをそれぞれ格納する。スケジューラ１６３４ｋ及び１６３４ｌは、基地局１１０ｋ及び１１０ｌとそれぞれ通信中の端末をスケジューリングし、データチャネル及び／又は副搬送波をスケジューリングされた端末に割り当てる。
【００９９】
本明細書において説明される技術は、様々な手段によって実装することができる。例えば、これらの技術は、ハードウェア内、ファームウェア内、ソフトウェア内、又はその組合せ内に実装することができる。ハードウェア内に実装する場合は、端末又は基地局における処理装置は、本明細書において説明される機能を果たすように設計された１つ以上の特定用途向け集積回路（ＡＳＩＣ）、デジタル信号プロセッサ（ＤＳＰ）、デジタル信号処理装置（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、その他の電子装置、又はその組合せ内に実装することができる。
【０１００】
ファームウェア及び／又はソフトウェアに実装する場合は、本明細書において説明される技術は、本明細書において説明される機能を果たすモジュール（例えば、手順、関数等）とともに実装することができる。ファームウェア及び／又はソフトウェアコードは、メモリ（例えば、図１６のメモリ１６７２）に格納してプロセッサ（例えば、プロセッサ１６７０）によって実行することができる。メモリは、プロセッサ内に又はプロセッサの外部に実装することができる。
【０１０１】
開示されている実施形態に関する上記の説明は、当業者が本発明を製造又は使用できるようにすることを目的とするものである。これらの実施形態に対する様々な修正は、当業者にとっては容易に明確になるであろう。本明細書において定められている一般原理は、本発明の精神及び適用範囲を逸脱しない形でその他の実施形態に対しても適用することができる。以上のように、本発明は、本明細書において示される実施形態に限定されることが意図されるものではなく、本明細書において開示されている原理及び斬新な特長に一致する限りにおいて最も広範な適用範囲が認められるべきである。
【図１】
2011239423.tif 000012
【図２】
2011239423.tif 000013
【図３】
2011239423.tif 000014
【図４】
2011239423.tif 000015
【図５】
2011239423.tif 000016
【図６】
2011239423.tif 000017
【図７】
2011239423.tif 000018
【図８】
2011239423.tif 000019
【図９】
2011239423.tif 000020
【図１０】
2011239423.tif 000021
【図１１】
2011239423.tif 000022
【図１２】
2011239423.tif 000023
【図１３】
2011239423.tif 000024
【図１４】
2011239423.tif 000025
【図１５】
2011239423.tif 000026
【図１６】
2011239423.tif 000027
【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
端末に関するチャネル情報を複数の基地局から受信し、前記端末に関する交信基地局を前記複数の基地局から受信された前記チャネル情報に基づいて選択するように構成された少なくとも１つのプロセッサと、
前記少なくとも１つのプロセッサに結合されたメモリと、を具備し、各基地局からの前記チャネル情報は、前記端末に関して前記基地局によって観測されたチャネル品質を示す、装置。
【請求項２】
各基地局からの前記チャネル情報は、逆方向リンクにおいて前記端末によって送られた既知の送信に基づいて導き出される請求項１に記載の装置。
【請求項３】
各基地局からの前記チャネル情報は、逆方向リンクにおいて前記端末によって送信された疑似ランダム数（ＰＮ）シーケンスに基づいて導き出される請求項１に記載の装置。
【請求項４】
各基地局からの前記チャネル情報は、前記端末から前記基地局によって受信された送信に関する受信電力測定を具備し、前記少なくとも１つのプロセッサは、最大の受信電力測定を有する基地局を前記交信基地局として選択するように構成される請求項１に記載の装置。
【請求項５】
各基地局からの前記チャネル情報は、前記端末から受信された送信に基づいて前記基地局によって得られたチャネル品質推定を具備する請求項１に記載の装置。
【請求項６】
各基地局からの前記チャネル情報は、前記端末から受信された送信に基づいて前記基地局によって生成された電力制御（ＰＣ）コマンドを具備する請求項１に記載の装置。
【請求項７】
前記少なくとも１つのプロセッサは、前記逆方向リンクにおいて前記端末と交信するために選択可能な前記複数の基地局を有する第１の候補組を維持し、順方向リンクにおいて前記端末と交信するために選択可能な少なくとも１つの基地局を有する第２の候補組を維持するように構成される請求項１に記載の装置。
【請求項８】
前記少なくとも１つのプロセッサは、前記チャネル情報を順方向リンクを介して前記複数の基地局から受信し、前記選択された交信基地局を逆方向リンクを介して送信するように構成される請求項１に記載の装置。
【請求項９】
前記少なくとも１つのプロセッサは、無線通信システムにおいてバックホールを介して前記チャネル情報を前記複数の基地局から受信し、前記選択された交信基地局を前記バックホールを介して前記複数の基地局のうちの少なくとも１つに送信するように構成される請求項１に記載の装置。
【請求項１０】
前記少なくとも１つのプロセッサは、無線通信システムにおいてバックホールを介して前記チャネル情報を前記複数の基地局から受信し、
前記選択された交信基地局を前記端末に送信する、ように構成される請求項１に記載の装置。
【請求項１１】
端末に関するチャネル情報を複数の基地局から受信することと、
前記端末に関する交信基地局を前記複数の基地局から受信された前記チャネル情報に基づいて選択すること、とを具備し、各基地局からの前記チャネル情報は、前記端末に関して前記基地局によって観測されたチャネル品質を示す、方法。
【請求項１２】
順方向リンクを介して前記複数の基地局から前記チャネル情報を受信することと、前記選択された交信基地局を逆方向リンクを介して送信すること、とをさらに具備する請求項１1に記載の方法。
【請求項１３】
無線通信システムにおいてバックホールを介して前記チャネル情報を前記複数の基地局から受信することと、
前記選択された交信基地局を前記バックホールを介して前記複数の基地局のうちの少なくとも１つに送信すること、とをさらに具備する請求項１１に記載の装置。
【請求項１４】
端末に関するチャネル情報を複数の基地局から受信するための手段であって、各基地局からの前記チャネル情報は、前記端末に関して前記基地局によって観測されたチャネル品質を示す手段と、
前記端末に関する交信基地局を前記複数の基地局から受信された前記チャネル情報に基づいて選択するための手段と、を具備する装置。
【請求項１５】
順方向リンクを介して前記複数の基地局から前記チャネル情報を受信するための手段と、前記選択された交信基地局を逆方向リンクを介して送信するための手段と、をさらに具備する請求項１４に記載の装置。
【請求項１６】
無線通信システムにおいてバックホールを介して前記チャネル情報を前記複数の基地局から受信するための手段と、
前記選択された交信基地局を前記バックホールを介して前記複数の基地局のうちの少なくとも１つに送信するための手段と、をさらに具備する請求項１４に記載の装置。
【請求項１７】
端末に関するチャネル情報を複数の基地局から受信し、
前記端末に関する交信基地局を前記複数の基地局から受信された前記チャネル情報に基づいて選択する、ために動作可能な命令を格納するためのプロセッサ読み取り可能媒体であって、
各基地局からの前記チャネル情報は、前記端末に関して前記基地局によって観測されたチャネル品質を示す、プロセッサ読み取り可能媒体。
【外国語明細書】
2011239423000001.pdf